(57)【特許請求の範囲】
【請求項１】
液晶パネルの下方に配置されるバックライトユニットと、
前記液晶パネル及び前記バックライトユニットを収納する下部カバーと、
前記液晶パネル及び前記下部カバーの所定領域に備えられる少なくとも１つの孔と、
前記孔内に挿入されるガイド手段とを含み、
前記ガイド手段は、光を通過させることのできる透明な材質で形成されている
ディスプレイ。
【請求項２】
前記バックライトユニットは、
導光板の一側に配置されて光を発生する光源と、
前記導光板の背面に配置される反射板と、
前記導光板の前面に配置される光学シートとを含む、請求項１に記載のディスプレイ。
【請求項３】
前記液晶パネル、前記光学シート、前記導光板、前記反射板及び前記下部カバーは、外郭が曲線形状、多角形状、又は曲線と多角が混合された形状を有する、請求項２に記載のディスプレイ。
【請求項４】
前記ガイド手段は、前記導光板と同じ材質で構成され、前記孔内に挿入されて前記光源を基準として前記孔の後方部に光を伝達する、請求項２に記載のディスプレイ。
【請求項５】
前記孔は、
前記液晶パネルに備えられた第１孔と、
前記光学シートに備えられた第２孔と、
前記導光板に備えられた第３孔と、
前記反射板に備えられた第４孔と、
前記下部カバーに備えられた第５孔とを含む、請求項２に記載のディスプレイ。
【請求項６】
前記第１孔〜前記第５孔は、曲線形状、多角形状、又は曲線と多角が混合された形状を有する、請求項５に記載のディスプレイ。
【請求項７】
前記第１孔は、前記第２孔、前記第３孔及び前記第４孔より大きい直径を有し、前記第２孔、前記第３孔及び前記第４孔は、前記第５孔より大きい直径を有する、請求項５に記載のディスプレイ。
【請求項８】
前記ガイド手段は、前記第２孔、前記第３孔及び前記第４孔を貫通して前記第５孔周辺の前記下部カバーの縁部の上部に配置される、請求項５に記載のディスプレイ。
【請求項９】
前記ガイド手段上に配置される円盤状の反射シートをさらに含む、請求項５に記載のディスプレイ。
【請求項１０】
前記反射シートは、反射性の金属材質や、銀又はアルミニウムがコーティングされている多層構造のフィルムで構成される、請求項９に記載のディスプレイ。
【請求項１１】
前記反射シートは、パッドを介して前記第２孔周辺の前記光学シートの縁部の上部に配置される、請求項９に記載のディスプレイ。
【請求項１２】
前記反射シートは、外径が前記ガイド手段の外径より相対的に大きく、前記第２孔周辺の前記光学シートの縁部と重なり、その重畳部に前記パッドが配置される、請求項１１に記載のディスプレイ。
【請求項１３】
前記第１孔の直径が前記反射シートの外径より小さく、それにより前記液晶パネルが前記反射シート上に載置される、請求項９に記載のディスプレイ。
【請求項１４】
前記下部カバーは、前記第５孔の縁部から前記液晶パネル方向に突出した突出部を備え、前記突出部には、前記第２孔、前記第３孔及び前記第４孔を貫通して挿入された前記ガイド手段が締結される、請求項５に記載のディスプレイ。
【請求項１５】
前記液晶パネルは、前記孔を除く領域に画像が表示される、請求項１に記載のディスプレイ。
【請求項１６】
前記液晶パネルの縁部の側面は、サイドシールによりシール材で密封される、請求項１に記載のディスプレイ。
【発明の詳細な説明】
【技術分野】
【０００１】
本発明は、ディスプレイに関し、より詳細には孔を備えた異形ディスプレイに関する。
【背景技術】
【０００２】
近年の情報化社会においてディスプレイ（又は、表示装置(display device)）は、視覚情報伝達媒体としてその重要性がより高まっており、今後主要な位置を占めるためには、低消費電力化、薄型化、軽量化、高画質化などの要件を満たさなければならない。
【０００３】
ディスプレイは、ブラウン管（Cathode Ray Tube; CRT）、電界発光素子（Electro Luminescence; EL）、発光ダイオード（Light Emitting Diode; LED）、蛍光表示管（Vacuum Fluorescent Display; VFD）、電界放出ディスプレイ（Field Emission Display; FED）、プラズマディスプレイパネル（Plasma Display Panel; PDP）などのように自発光する発光型と、液晶表示装置（Liquid Crystal Display; LCD）のように自発光しない非発光型に分けられる。
【０００４】
液晶表示装置は、液晶の光学的異方性を用いて画像を表示する装置であって、従来のブラウン管に比べて視認性に優れ、平均消費電力も同じ画面サイズのブラウン管に比べて小さいだけでなく、放熱量も少ないので、ディスプレイとして脚光を浴びている。
【０００５】
以下、一般的な液晶表示装置について詳細に説明する。
【０００６】
一般的な液晶表示装置は、マトリクス状に配列された画素に画像情報に基づいたデータ信号を個別に供給し、画素の光透過率を調整することにより、所望の画像を表示する。
【０００７】
よって、液晶表示装置には、画素がマトリクス状に配列される液晶パネル、画素を駆動するための駆動部、及び液晶パネルに光を供給するバックライトユニットが備えられる。
【０００８】
図１５は一般的な液晶表示装置の構造を概略的に示す分解斜視図である。
【０００９】
図１５に示すように、一般的な液晶表示装置は、画素がマトリクス状に配列されて画像を出力する液晶パネル１０と、画素を駆動するための駆動部（図示せず）と、液晶パネル１０の背面に設けられて液晶パネル１０の全面にわたって光を放出するバックライトユニット４０と、液晶パネル１０及びバックライトユニット４０を収納して固定する下部カバー５０とから構成される。
【００１０】
液晶パネル１０は、対向して均一なセルギャップが維持されるように貼り合わせられたカラーフィルタ基板５及びアレイ基板１５と、カラーフィルタ基板５とアレイ基板１５間のセルギャップに形成された液晶層（図示せず）とからなる。
【００１１】
液晶パネル１０の外側にはそれぞれ上部偏光板（図示せず）及び下部偏光板（図示せず）が取り付けられており、下部偏光板はバックライトユニット４０を経由した光を偏光させ、上部偏光板は液晶パネル１０を経由した光を偏光させる。
【００１２】
バックライトユニット４０においては、導光板４２の一側には光を発生する発光ダイオード（Light Emitting Diode; LED）アセンブリ３０が設けられ、導光板４２の背面には反射板（リフレクタ）４１が設けられる。
【００１３】
ここで、ＬＥＤアセンブリ３０は、ＬＥＤアレイ３１と、ＬＥＤアレイ３１を駆動するＬＥＤアレイプリント基板（Printed Circuit Board; PCB）（図示せず）と、ハウジング３２とからなる。
【００１４】
ＬＥＤアレイ３１から発光した光は透明な材質の導光板４２の側面に入射するが、導光板４２の背面に配置された反射板４１は、導光板４２の背面に透過する光を導光板４２の前面の光学シート４３側に反射させることにより、光の損失を低減して均一度を向上させる。
【００１５】
このように構成されたバックライトユニット４０は、その上部にカラーフィルタ基板５とアレイ基板１５とからなる液晶パネル１０がガイドパネル４５を介して取り付けられ、その下部に下部カバー５０が結合されることにより、液晶表示装置を構成する。
【００１６】
詳細には示していないが、液晶パネル１０は、接着テープによりガイドパネル４５上に取り付けられ、下部カバー５０は、外側のフックによりガイドパネル４５の側面の締結部に結合される。
【００１７】
一方、円形ディスプレイなどのように従来の矩形ディスプレイでないディスプレイを異形ディスプレイというが、異形とは文字どおり事物の性質や形状、形式などが従来のものと異なることを意味する。すなわち、異形ディスプレイとは、従来の矩形ディスプレイではなく、円形や菱形などのように形状を様々に変形させたディスプレイをいう。
【００１８】
異形ディスプレイは、従来の矩形ディスプレイとは異なり、様々な形状に製造されるので、製造工程が非常に重要である。また、従来の製品よりトレンディかつスリムながらもユーザに利便性をもたらす非常に薄いベゼルを用いなければならない。
【００１９】
ここで、モールドで形成されたガイドパネル４５を適用する場合、最小０．６ｍｍ〜０．８ｍｍの成形厚さを必要とするので、１．５ｍｍ以下のナローベゼル（narrow bezel）構造の適用が制限される。
【００２０】
また、前述したように下部カバー５０の外側にフックを適用した構造や、ガイドパネル４５の内側にフックを適用した構造では、成形及びサイズ管理がより制限される。
【００２１】
また、近年、ディスプレイの活用度が次第に高まって様々な分野に用いられるので、適用分野に応じたディスプレイの開発が必要である。例えば、ディスプレイの画面領域内に物理的なボタンや、秒針、分針、時針などの構成物が貫通する少なくとも１つの孔を有する場合も考慮する必要がある。この場合、孔の前後での輝度差も考慮の対象となる。
【発明の概要】
【発明が解決しようとする課題】
【００２２】
本発明は、このような問題を解決するためになされたものであり、ディスプレイの画面領域内に少なくとも１つの孔を備えたディスプレイを提供することを目的とする。
【００２３】
本発明の他の目的は、孔を備えた異形ディスプレイにおいて、孔付近の暗部を改善したディスプレイを提供することにある。
【００２４】
本発明のさらに他の目的及び特徴は、後述する発明の構成及び特許請求の範囲で説明される。
【課題を解決するための手段】
【００２５】
上記目的を達成するために、本発明によるディスプレイは、液晶パネルの下方に配置されるバックライトユニットと、前記液晶パネル及び前記バックライトユニットを収納する下部カバーと、前記液晶パネル及び前記下部カバーの所定領域に備えられて構成物が貫通する少なくとも１つの孔と、前記孔内に挿入されるシリンダ状のガイド手段とを含むようにしてもよい。
【００２６】
一態様において、前記バックライトユニットは、導光板の一側に配置されて光を発生する光源と、前記導光板の背面に配置される反射板と、前記導光板の前面に配置される光学シートとを含むようにしてもよい。
【００２７】
一態様において、前記液晶パネル、前記光学シート、前記導光板、前記反射板及び前記下部カバーは、外郭が曲線形状、多角形状、又は曲線と多角が混合された形状を有するようにしてもよい。
【００２８】
一態様において、前記ガイド手段は、前記導光板と同じ材質で構成され、前記孔内に挿入されて前記光源を基準として前記孔の後方部に光を伝達するようにしてもよい。
【００２９】
一態様において、前記孔は、前記液晶パネルに備えられた第１孔と、前記光学シートに備えられた第２孔と、前記導光板に備えられた第３孔と、前記反射板に備えられた第４孔と、前記下部カバーに備えられた第５孔とを含むようにしてもよい。
【００３０】
一態様において、前記第１孔〜前記第５孔は、曲線形状、多角形状、又は曲線と多角が混合された形状を有するようにしてもよい。
【００３１】
一態様において、前記第１孔は、前記第２孔、前記第３孔及び前記第４孔より大きい直径を有し、前記第２孔、前記第３孔及び前記第４孔は、前記第５孔より大きい直径を有するようにしてもよい。
【００３２】
一態様において、前記ガイド手段は、前記第２孔、前記第３孔及び前記第４孔を貫通して前記第５孔周辺の前記下部カバーの縁部の上部に配置されるようにしてもよい。
【００３３】
一態様において、前記ディスプレイは、前記ガイド手段上に配置される円盤状の反射シートをさらに含むようにしてもよい。
【００３４】
一態様において、前記反射シートは、反射性の金属材質や、銀又はアルミニウムがコーティングされている多層構造のフィルムで構成されるようにしてもよい。
【００３５】
一態様において、前記反射シートは、パッドを介して前記第２孔周辺の前記光学シートの縁部の上部に配置されるようにしてもよい。
【００３６】
一態様において、前記反射シートは、外径が前記ガイド手段の外径より相対的に大きく、前記第２孔周辺の前記光学シートの縁部と重なり、その重畳部に前記パッドが配置されるようにしてもよい。
【００３７】
一態様において、前記第１孔の直径が前記反射シートの外径より小さく、それにより前記液晶パネルが前記反射シート上に載置されるようにしてもよい。
【００３８】
一態様において、前記下部カバーは、前記第５孔の縁部から前記液晶パネル方向に突出した突出部を備え、前記突出部には、前記第２孔、前記第３孔及び前記第４孔を貫通して挿入された前記ガイド手段が締結されるようにしてもよい。
【００３９】
一態様において、前記液晶パネルは、前記孔を除く領域に画像が表示されるようにしてもよい。
【００４０】
一態様において、前記液晶パネルの縁部の側面は、サイドシールによりシール材で密封されるようにしてもよい。
【発明の効果】
【００４１】
本発明の一実施の形態による孔を備えたディスプレイは、孔の前後での輝度差を低減することにより、孔付近の暗部を改善すると共に、導光板とガイド手段間から漏れる光を遮断することができる。
【００４２】
よって、本発明の一実施の形態による孔を備えたディスプレイは、画像品位を改善できるという効果を有する。
【図面の簡単な説明】
【００４３】
【図１】本発明の第１の実施の形態による異形ディスプレイの一例を示す平面図である。
【図２】図１に示す本発明の第１の実施の形態による異形ディスプレイの構造を概略的に示す分解斜視図である。
【図３】図１に示す本発明の第１の実施の形態による異形ディスプレイの構造を概略的に示す平面図である。
【図４】図３に示す本発明の第１の実施の形態による異形ディスプレイにおけるＡ−Ａ線断面図である。
【図５】図３に示す本発明の第１の実施の形態による異形ディスプレイにおけるＢ−Ｂ’線断面図である。
【図６】図４に示す本発明の第１の実施の形態による異形ディスプレイにおけるガイド手段の構造を概略的に示す斜視図である。
【図７】孔の前後での輝度差の例を示す表である。
【図８】本発明の第２の実施の形態による異形ディスプレイの断面の一部を概略的に示す断面図である。
【図９】本発明の第２の実施の形態による異形ディスプレイの断面の他の一部を概略的に示す断面図である。
【図１０】本発明の第３の実施の形態による異形ディスプレイの断面の一部を概略的に示す断面図である。
【図１１】本発明の第３の実施の形態による異形ディスプレイの断面の他の一部を概略的に示す断面図である。
【図１２】図１０に示す本発明の第３の実施の形態による異形ディスプレイにおけるガイド手段の構造を概略的に示す斜視図である。
【図１３】本発明の第４の実施の形態による異形ディスプレイの一例を示す平面図である。
【図１４】図１３に示す本発明の第４の実施の形態による異形ディスプレイの構造を概略的に示す分解斜視図である。
【図１５】一般的な液晶表示装置の構造を概略的に示す分解斜視図である。
【発明を実施するための形態】
【００４４】
以下、本発明の好ましい実施の形態による孔を備えた異形ディスプレイについて添付図面を参照して詳細に説明する。
【００４５】
本発明の利点及び特徴、並びにそれらを達成する方法は、後述する発明の詳細な説明及び添付の図面によりさらに明確になるであろう。しかし、本発明は、以下に開示される実施の形態に限定されるものではなく、様々な形態で実現することができる。ただし、本実施の形態は、本発明の技術思想の理解を容易にし、本発明のカテゴリーを明確にするためのものであり、本発明の権利範囲は、添付の特許請求の範囲により定められるべきである。明細書全体にわたって同一の構成要素には同一の符号を付す。図面において、層及び領域の大きさ及び相対的な大きさは説明の明瞭性のために誇張されることもある。
【００４６】
ある素子又は層が他の素子又は層「上に」又は「の上方に」配置されるという表現は、ある素子又は層が他の素子又は層の直上に配置される場合と、中間にさらに他の素子又は層が介在する場合とを含む。それに対して、ある素子又は層が他の素子又は層「上に直接」又は「の直上に」配置されるという表現は、中間にさらに他の素子又は層が介在しないことを示す。
【００４７】
空間的に相対的な用語である「下方」、「下部」、「上方」、「上部」などは、図示のように１つの素子又は構成要素と他の素子又は構成要素との相関関係を容易に記載するために用いられる。空間的に相対的な用語は、図面に示されている方向に加え、使用時又は動作時の素子又は構成要素の様々な方向を含む用語と理解されるべきである。例えば、図面に示されている素子をひっくり返した場合、他の素子の「下方」又は「下部」に配置されると記載された素子は、他の素子の「上方」又は「上部」に配置されることになる。よって、例示的な用語である「下方」は、下方と上方の両方を含むといえる。
【００４８】
本明細書で用いられる用語は、実施の形態を説明するためのものであり、本発明を限定するものではない。本明細書において、単数の表現は、特に断らない限り、複数の表現を含む。本明細書において、「含む」や「有する」などの用語は、本明細書に記載された構成要素、段階、動作及び／又は素子が存在することを指定しようとするもので、１つ又はそれ以上の他の構成要素、段階、動作及び／又は素子の存在や付加可能性を排除するものではない。
【００４９】
図１は本発明の第１の実施の形態による異形ディスプレイの一例を示す平面図である。
【００５０】
図２は図１に示す本発明の第１の実施の形態による異形ディスプレイの構造を概略的に示す分解斜視図である。
【００５１】
図３は図１に示す本発明の第１の実施の形態による異形ディスプレイの構造を概略的に示す平面図である。
【００５２】
図４は図３に示す本発明の第１の実施の形態による異形ディスプレイにおけるＡ−Ａ線断面図であり、図５は図３に示す本発明の第１の実施の形態による異形ディスプレイにおけるＢ−Ｂ’線断面図である。ここで、図４は孔周辺の断面を例に挙げて示し、図５は縁部の断面を例に挙げて示す。
【００５３】
また、図６は図４に示す本発明の第１の実施の形態による異形ディスプレイにおけるガイド手段の構造を概略的に示す斜視図である。
【００５４】
本明細書でいう異形ディスプレイとは、従来の矩形ディスプレイではなく、円形、菱形又は楕円形などの様々な形状を有するディスプレイや、様々な形状が混合された形状を有するディスプレイをいい、本発明による異形ディスプレイは、ユーザに利便性をもたらすために、１．５ｍｍ以下のナローベゼル構造を適用することを特徴とする。
【００５５】
また、本発明は、このような異形ディスプレイの画面領域内に物理的なボタンや、秒針、分針、時針などの表示針、計器の針（又は、ポインタ）などの構成物が貫通する少なくとも１つの孔を有することを特徴とする。
【００５６】
ただし、本発明は、従来の矩形ディスプレイへの適用を排除するわけではなく、矩形ディスプレイの画面領域内に少なくとも１つの孔を有する場合にも適用することができる。すなわち、本発明によるディスプレイは、円形や楕円形などの曲線形状、矩形や菱形などの多角形状、又は様々な形状が混合された形状を有する。
【００５７】
孔も、円形や楕円形などの曲線形状、矩形や菱形などの多角形状、又は様々な形状が混合された形状を有する。
【００５８】
ここで、図１〜図６に示す本発明の第１の実施の形態による異形ディスプレイは、車両のダッシュボードを例に挙げているが、本発明はこれに限定されるものではない。
【００５９】
図１に示すように、クラスタゲージとも呼ばれる車両のダッシュボード１００は、運転者に車両の全般的な走行状態を知らせるためのものであり、運転者は前方を注視しながら随時車両のダッシュボード１００を見て走行状態を判断する。
【００６０】
本発明の第１の実施の形態による異形ディスプレイ、すなわち車両のダッシュボード１００は、タコメータ１２１、速度計１２２、冷却水温計１２３、燃料計１２４などを備え、検知センサ（図示せず）により検知された車両のエンジン回転速度、車両の速度、冷却水の温度及び燃料残量に関する状態情報を針（又は、ポインタ）１２５の動きの変化により示す。
【００６１】
例えば、タコメータ１２１は、車両のダッシュボード１００の左側に配置され、針１２５によりエンジンの回転数、すなわちＲＰＭ（Revolution Per Minute）を示す。
【００６２】
速度計１２２は、車両のダッシュボード１００の右側に配置され、針１２５により車両の速度を示す。
【００６３】
よって、運転者は、針１２５が示す数字から運転中の車両の状態情報を把握し、その状態情報を参考にして車両の運転中に速度を調整するなどの動作を行うことができる。
【００６４】
すなわち、車両の走行中に運転者は、速度計１２２により走行中の車両の速度を認知することができ、タコメータ１２１によりエンジンの１分間当たりの回転数を認知することができる。
【００６５】
また、燃料計１２４は、燃料残量が設定値以下となると警告灯を点灯し、運転者に燃料補充時期を認知させる。
【００６６】
冷却水温計１２３は、エンジンの冷却水の温度を運転者に認知させ、過熱による誤作動や破損を予防できるようにする。
【００６７】
このように、タコメータ１２１、速度計１２２、冷却水温計１２３、燃料計１２４などのゲージには目盛りが表示され、それぞれのゲージが示す対象値の変化に応じて目盛りを移動する針１２５が設けられる。よって、運転者は、針１２５が指し示す目盛りを読んでそれぞれのゲージが示す対象値を確認する。
【００６８】
本発明の第１の実施の形態による車両のダッシュボード１００は、前述した車両のエンジン回転速度、車両の速度、冷却水の温度及び燃料残量に関する状態情報などを表示するディスプレイ部１２０を備え、このようなディスプレイ部１２０は、一例として、液晶パネルに出力される画像で実現されることを特徴とする。
【００６９】
ディスプレイ部１２０は、車両のダッシュボード１００の外観形状と実質的に同一の直線や曲線などの様々な形状が混合された形状を有し、一例として、タコメータ１２１及び速度計１２２の針１２５が貫通する孔（図示せず）を除く部分がディスプレイ領域である。
【００７０】
よって、このような車両のダッシュボード１００は、ディスプレイ部１２０に所定角度の扇形又は円形のタコメータ１２１、速度計１２２、冷却水温計１２３、燃料計１２４、及びその他の情報の計器盤１２６、１２７を表示し、目盛りに所定の数字を表示し、針１２５が孔を中心に回転してＲＰＭ、速度、冷却水温、燃料残量などの数値を指し示す。
【００７１】
図２〜図６に示すように、本発明の第１の実施の形態による異形ディスプレイ１００は、カラーフィルタ基板１０５とアレイ基板１１５間に液晶が注入されて画像を出力する液晶パネル１１０と、液晶パネル１１０の背面に設けられて液晶パネル１１０の全面にわたって光を放出するバックライトユニット１４０と、液晶パネル１１０及びバックライトユニット１４０を収納して固定する下部カバー１５０とを含むようにしてもよい。
【００７２】
液晶パネル１１０は、画素がマトリクス状に配列されて画像を出力し、対向して均一なセルギャップが維持されるように貼り合わせられたカラーフィルタ基板１０５及びアレイ基板１１５と、カラーフィルタ基板１０５とアレイ基板１１５間のセルギャップに形成された液晶層とからなる。
【００７３】
詳細には示していないが、カラーフィルタ基板１０５とアレイ基板１１５とが貼り合わせられた液晶パネル１１０には共通電極と画素電極が形成されていて液晶層に電界を印加し、共通電極に電圧が印加された状態で画素電極に印加されるデータ信号の電圧を制御すると、共通電極と画素電極間の電界に応じて誘電異方性により液晶層の液晶が回転して画素毎に光を透過させるか又は遮断することにより、文字や画像が表示される。
【００７４】
ここで、画素電極に印加されるデータ信号の電圧を画素毎に制御するために、薄膜トランジスタ（Thin Film Transistor; TFT）などのスイッチング素子が画素に個別に備えられる。
【００７５】
すなわち、アレイ基板１１５には縦横に配列されて画素領域を規定するゲートラインとデータラインが形成されており、ゲートラインとデータラインの交差領域にはスイッチング素子である薄膜トランジスタが形成されている。
【００７６】
薄膜トランジスタは、ゲートラインに接続されたゲート電極と、データラインに接続されたソース電極と、画素電極に接続されたドレイン電極とから構成される。
【００７７】
カラーフィルタ基板１０５は、赤色、緑色及び青色を実現する複数のサブカラーフィルタで構成されたカラーフィルタと、サブカラーフィルタを区分して液晶層を透過する光を遮断するブラックマトリクスと、カラーフィルタ及びブラックマトリクス上に形成されたオーバーコート層とからなる。
【００７８】
カラーフィルタ基板１０５及びアレイ基板１１５の外側にはそれぞれ偏光板１０１、１１１が取り付けられ、下部偏光板１１１はバックライトユニット１４０を経由した光を偏光させ、上部偏光板１０１は液晶パネル１１０を経由した光を偏光させる。
【００７９】
ここで、カラーフィルタ基板１０５とアレイ基板１１５とが貼り合わせられた液晶パネル１１０の縁部の側面は、サイドシール（side sealing）によりシール材１４８で密封されるようにしてもよい。ただし、本発明がこれに限定されるものではない。また、図５に示すように上部偏光板１０１がシール材１４８の一部を覆うように取り付けられてもよいが、本発明がこれに限定されるものではない。
【００８０】
本発明の第１の実施の形態によるバックライトユニット１４０においては、導光板１４２の一側には光を発生する光源１３２を含む光源ユニット１３０が設けられ、導光板１４２の背面には反射板１４１が設けられるようにしてもよい。
【００８１】
また、導光板１４２の前面には導光板１４２から出射される光の効率を向上させて液晶パネル１１０に照射する複数の光学シート１４３が配置されるようにしてもよい。
【００８２】
ただし、本発明が前述したバックライトユニット１４０の構造に限定されるものではなく、いかなる構造のバックライトユニット１４０も本発明による異形ディスプレイ１００に適用することができる。
【００８３】
導光板１４２は、光源１３２から供給される光を液晶パネル１１０側に導く。ここで、光源１３２から供給される光は、導光板１４２の入射面に供給される。この入射面は、下部カバー１５０の側面部１５０ａのうち一側面部１５０ａに対向する。すなわち、下部カバー１５０の一側面部１５０ａに光源１３２が配置されており、導光板１４２の入射面は光源１３２の光出射面に対向する。
【００８４】
導光板１４２は、ＰＭＭＡ（polymethyl methacrylate）やＰＣ（polycarbonate）などのプラスチックからなるようにしてもよい。
【００８５】
反射板１４１は、下部カバー１５０と導光板１４２の背面間に配置される。この反射板１４１は、光源１３２からの光及び導光板１４２からの光を液晶パネル１１０側に反射する役割を果たす。図５においては、反射板１４１が導光板１４２の縁部の側面を覆うように形成された場合を例に挙げているが、本発明はこれに限定されるものではない。
【００８６】
また、光源１３２は、光を出射する手段であって、例えばＣＣＦＬ（Cold Cathode Fluorescent Lamp）、ＨＣＦＬ（Hot Cathode Fluorescent Lamp）、ＥＥＦＬ（External Electrode Fluorescent Lamp）及びＬＥＤ（Light Emitting Diode）のいずれかを選択して用いることができるが、これらに限定されるものではない。以下では、説明の便宜上、光源１３２としてＬＥＤアレイを用いた場合を例に挙げる。
【００８７】
ＬＥＤアレイは、少なくとも１つのＬＥＤが備えられた発光パッケージからなるようにしてもよい。この発光パッケージは、異なる色、例えば赤色発光ダイオード、緑色発光ダイオード及び青色発光ダイオードを備えた発光パッケージであってもよい。
【００８８】
ＬＥＤアレイは、光出射面が導光板１４２の入射面に対向するように、フレキシブルプリント基板（Flexible Printed Circuit Board; FPC）１３１に設けられる。すなわち、光源ユニット１３０は、フレキシブルプリント基板１３１と、フレキシブルプリント基板１３１の一側面に実装されるＬＥＤアレイなどの複数の光源１３２とを含むようにしてもよい。フレキシブルプリント基板１３１は、複雑な回路をフレキシブルな絶縁フィルム上に形成したプリント基板であって、軟性材料であるポリエステル（polyester）やポリイミド（polyimide）などの耐熱性プラスチックフィルムを用いる基板である。
【００８９】
光源１３２は、インバータに接続されて電源供給により光を出射するようにしてもよい。
【００９０】
光源１３２から出射された光は透明な材質の導光板１４２の側面に入射するが、導光板１４２の背面に配置された反射板１４１は、導光板１４２の背面に透過する光を導光板１４２の前面の光学シート１４３側に反射させることにより、光の損失を低減して均一度を向上させる。
【００９１】
ここで、光学シート１４３は、拡散シート１４３ａ及びプリズムシート１４３ｂを含み、ＤＢＥＦ（Dual Brightness Enhancement Film）などの輝度強化フィルム１４３ｃ及び保護シートをさらに含むようにしてもよい。
【００９２】
光学シート１４３は、導光板１４２の前面と液晶パネル１１０の背面間に備えられてもよい。プリズムシート１４３ｂは、導光板１４２からの光を集光し、拡散シート１４３ａは、プリズムシート１４３ｂからの光を拡散し、保護シートは、輝度強化フィルム１４３ｃ、プリズムシート１４３ｂ及び拡散シート１４３ａを保護する役割を果たす。保護シートを通過した光は液晶パネル１１０側に供給される。
【００９３】
このような構造のバックライトユニット１４０は、下部カバー１５０の内部に収納される。
【００９４】
下部カバー１５０は、底面から垂直に延びた複数の側面部１５０ａを含むようにしてもよい。側面部１５０ａは、下部カバー１５０の縁部から所定の高さを有するように垂直に延びてもよい。隣接する側面部１５０ａは互いに連結されるようにしてもよい。
【００９５】
各側面部１５０ａは、異形ディスプレイ１００の中心に向かって折り曲げられて所定の幅を有する載置部１５０ａ’を構成し、載置部１５０ａ’上に液晶パネル１１０が載置されるようにしてもよい。
【００９６】
側面部１５０ａ及び載置部１５０ａ’により囲まれた空間は、バックライトユニット１４０が収納される収納空間となる。すなわち、側面部１５０ａ及び載置部１５０ａ’は、下部カバー１５０の底面からコ字状に曲がっている。よって、下部カバー１５０の内部に反射板１４１、導光板１４２及び光学シート１４３を収納し、コ字状に曲がった下部カバー１５０の側面部１５０ａ及び載置部１５０ａ’により下部カバー１５０の内部に導光板１４２及び光学シート１４３を固定することができる。
【００９７】
ここで、光源ユニット１３０に対応する下部カバー１５０の内部一側には、複数の光源１３２及びフレキシブルプリント基板１３１が収納される収容溝が形成されてもよい。
【００９８】
また、このような構造のバックライトユニット１４０の上部には、所定の遮光テープ１４６が備えられてもよい。
【００９９】
遮光テープ１４６は、バックライトユニット１４０の光源ユニット１３０に対応する領域及び下部カバー１５０の縁部に対応し、液晶パネル１１０を下部カバー１５０に固定する役割を果たす。遮光テープ１４６は、両面に粘着剤が塗布されていて液晶パネル１１０をバックライトユニット１４０、すなわち下部カバー１５０に固定する役割を果たし、全体が黒色からなり、バックライトユニット１４０から出射された光が外部に漏れることを防止する役割を果たすようにしてもよい。
【０１００】
このように構成される本発明の第１の実施の形態による異形ディスプレイ１００の液晶パネル１１０は、ディスプレイ面において異形ディスプレイ１００、一例として車両のダッシュボードの外郭形状に対応する形状を有するようにしてもよい。それに加え、バックライトユニット１４０の構成物や光学部品、すなわち光学シート１４３、導光板１４２、反射板１４１及び下部カバー１５０は、全体として異形ディスプレイ１００の外郭形状に対応する形状を有するようにしてもよい。ただし、本発明は、これに限定されるものではなく、前述したように、円形や楕円形などの曲線形状、矩形や菱形などの多角形状、又は様々な形状が混合された形状を有するようにしてもよい。
【０１０１】
また、液晶パネル１１０、光学シート１４３、導光板１４２、反射板１４１及び下部カバー１５０の左右の所定領域には、円形状の第１孔１１０’、第２孔１４３ａ’、１４３ｂ’、１４３ｃ’、第３孔１４２’、第４孔１４１’及び第５孔１５０’が形成されてもよい。ただし、本発明がこれに限定されるものではなく、第１孔１１０’、第２孔１４３ａ’、１４３ｂ’、１４３ｃ’、第３孔１４２’、第４孔１４１’及び第５孔１５０’も、円形や楕円形などの曲線形状、矩形や菱形などの多角形状、又は様々な形状が混合された形状を有するようにしてもよい。
【０１０２】
このような第１孔１１０’、第２孔１４３ａ’、１４３ｂ’、１４３ｃ’、第３孔１４２’、第４孔１４１’及び第５孔１５０’は、異形ディスプレイ１００を車両のダッシュボードに適用した場合、タコメータや速度計などの針が貫通する孔となる。
【０１０３】
液晶パネル１１０は、実際に画像が表示される際に、第１孔１１０’を除く領域に画像が表示される。
【０１０４】
例えば、第１孔１１０’は、第２孔１４３ａ’、１４３ｂ’、１４３ｃ’、第３孔１４２’及び第４孔１４１’より大きい直径を有し、また、第２孔１４３ａ’、１４３ｂ’、１４３ｃ’、第３孔１４２’及び第４孔１４１’は、第５孔１５０’より大きい直径を有するようにしてもよい。
【０１０５】
前述したように、下部カバー１５０の左右の所定領域には、円形状の第５孔１５０’が形成されてもよい。ここで、第５孔１５０’周辺の下部カバー１５０の縁部には、第２孔１４３ａ’、１４３ｂ’、１４３ｃ’、第３孔１４２’及び第４孔１４１’を貫通して挿入されたガイド手段１４５が配置されることを特徴とする。
【０１０６】
ガイド手段１４５の側面には、光学シート１４３ａ、１４３ｂ、１４３ｃの第２孔１４３ａ’、１４３ｂ’、１４３ｃ’に対応する側面、導光板１４２の第３孔１４２’に対応する側面、及び反射板１４１の第４孔１４１’に対応する側面が接触するか又は隣接して配置されるようにしてもよい。すなわち、ガイド手段１４５は、光学シート１４３ａ、１４３ｂ、１４３ｃの第２孔１４３ａ’、１４３ｂ’、１４３ｃ’、導光板１４２の第３孔１４２’、及び反射板１４１の第４孔１４１’を貫通して挿入されることにより、光学シート１４３ａ、１４３ｂ、１４３ｃ、導光板１４２及び反射板１４１を下部カバー１５０内に収納する。
【０１０７】
本発明の第１の実施の形態によるガイド手段１４５は、孔に類似したシリンダ状に形成され、特に、従来のガイドパネルの役割を果たしながらも、部分的に左右の孔内にのみ挿入されて設置されることを特徴とする。
【０１０８】
すなわち、本発明は、従来のようにディスプレイの縁部を囲む四角枠状のガイドパネルではなく、部分的に孔内にのみ挿入されて設置された部分（partial）ガイド手段１４５を備えるようにしてもよい。
【０１０９】
本発明の第１の実施の形態によるガイド手段１４５は、下部カバー１５０内に光学シート１４３ａ、１４３ｂ、１４３ｃ、導光板１４２及び反射板１４１を収納する際にガイドする役割を果たす。ここで、ガイド手段１４５は、光学シート１４３ａ、１４３ｂ、１４３ｃの第２孔１４３ａ’、１４３ｂ’、１４３ｃ’、導光板１４２の第３孔１４２’、及び反射板１４１の第４孔１４１’に挿入される。この状態では、ガイド手段１４５が第５孔１５０’周辺の下部カバー１５０の縁部の上部に載置される。よって、ガイド手段１４５は、その内部に第５孔１５０’に対応する第６孔Ｈを備える。ここで、第６孔Ｈの直径は、第５孔１５０’の直径と実質的に同一であってもよい。ただし、本発明がこれに限定されるものではなく、第６孔Ｈの直径は、第５孔１５０’の直径と異なるようにしてもよい。
【０１１０】
このように、本発明においては、孔領域にシリンダ状のガイド手段１４５を適用して光学シート１４３、導光板１４２及び反射板１４１を嵌合して固定することにより、従来の四角枠状のガイドパネルを削除することができ、ナローベゼルを実現することができるという効果を奏する。
【０１１１】
このようなガイド手段１４５は、導光板１４２を構成する材質と同一又は同等の材質、例えばＰＭＭＡやＰＣなどで構成してもよい。孔内にガイド手段１４５が挿入されることにより、孔の前Ｆと後ろＲとでの輝度差を低減することができる。ただし、本発明がこれに限定されるものではなく、透明な材質に光を通過させて孔の後方部Ｒに光を到達させることができれば、いかなる材質でも適用することができる。
【０１１２】
すなわち、光源が導光板の側面に配置されるエッジタイプ（edge type）のバックライトユニットにおいて、液晶パネルとバックライトユニット、すなわち導光板に孔を備えた場合、光源を基準として孔の前後で輝度差が生じる。その輝度差は、導光板の下部のパターン密度やパターンサイズ、又は射出条件などを調整することで最小限に抑える。
【０１１３】
しかし、孔付近の画像は導光板の下部のパターン密度やパターンサイズ、又は射出条件などを調整するだけでは均一な輝度を得ることが困難であり、孔径が大きくなることにより孔の前後での輝度差も大きくなるので、根本的な解決方法を模索しなければならない。
なお、孔の前方部の輝度には、従来のバックライトユニットのように、導光板のパターン密度やパターンサイズ、又は射出条件などが関与する。それに対して、孔の後方部は、光が直接到達しないので、光を迂回させて送り出さなければならない。よって、従来は必然的に孔の前後で輝度差が生じる。
【０１１４】
そこで、本発明においては、孔（すなわち、第２孔１４３ａ’、１４３ｂ’、１４３ｃ’、第３孔１４２’及び第４孔１４１’）内に、孔径より小さく、導光板１４２と同等の材質のシリンダ状のガイド手段１４５を挿入して孔の後方部Ｒに光を送ることにより、孔の前Ｆと後ろＲとでの輝度差を低減することを特徴とする。すなわち、本発明の第１の実施の形態によるガイド手段１４５は、光経路を閉塞しないようにして孔の後方部Ｒに光を直接伝達する役割を果たし、それにより孔の後方部Ｒの暗部が改善され、バックライト光の均一度が向上し、画像品位を改善することができるという効果を奏する。
【０１１５】
また、シリンダ状のガイド手段１４５上には反射シート１４９が配置されるが、反射シート１４９は、導光板１４２とガイド手段１４５との間の空気層から漏れる光を遮断する役割を果たす。
【０１１６】
反射シート１４９は、反射性の金属材質からなり、パッド１４７を介して光学シート１４３の上部に配置されるようにしてもよい。すなわち、パッド１４７は、ガイド手段１４５の上部に配置される反射シート１４９の他の一側において反射シート１４９と光学シート１４３との間に介在し、ガイド手段１４５との高さ差を補完する役割を果たすようにしてもよい。
【０１１７】
反射シート１４９としては、金属材質以外に、銀（Ａｇ）やアルミニウム（Ａｌ）などがコーティングされている多層構造のフィルム、又は屈折率異方性物質を交互に積層した多層構造のフィルムを適用することもできる。
【０１１８】
このような反射シート１４９は、薄いシリンダ状、すなわち円盤状に形成され、ガイド手段１４５の外径より相対的に大きい外径を有するようにしてもよい。すなわち、反射シート１４９は、第２孔１４３ａ’、１４３ｂ’、１４３ｃ’周辺の光学シート１４３の一側と重なり、その重畳部にパッド１４７が配置されるようにしてもよい。
【０１１９】
また、反射シート１４９の内径は、ガイド手段１４５の内径、すなわち第６孔Ｈの直径と同一であるか又は実質的に同一であってもよい。
【０１２０】
パッド１４７は、所定の弾性を有するようにしてもよく、また、反射シート１４９に類似した円盤状に形成されるようにしてもよい。パッド１４７の上部及び下部の少なくとも一方には、粘着剤が塗布されるようにしてもよい。
【０１２１】
図７は孔の前後での輝度差の例を示す表である。
【０１２２】
図７においては、ガイド手段を有する場合と有しない場合とにおける孔の前後での輝度差をシミュレーションにより示している。なお、図７における「差」は、実施例の輝度差から比較例の輝度差を引いた値であり、マイナスの値が大きくなるほど、ガイド手段を用いた場合に孔の前後での輝度差が著しく小さくなるといえる。
【０１２３】
シミュレーションは、一例として、厚さ３．０ｍｍの異形の導光板に半径１ｍｍ〜８ｍｍの孔を開け、導光板から０．２ｍｍ離隔して３．０ｍｍ×１．４ｍｍのＬＥＤを４８個配置して行う。
【０１２４】
このとき、孔の半径を１ｍｍから８ｍｍまで１ｍｍずつ段階的に大きくし、孔の前後での輝度差を測定する。
【０１２５】
また、実施例に用いられたガイド手段は、孔の半径より０．２ｍｍ小さいものにし、１ｍｍずつ段階的に大きくし、孔の前後での輝度差を測定する。
【０１２６】
図７を参照すると、シミュレーションの結果、孔の半径が大きくなるほど、孔の前後での輝度差が大きくなることが分かる。
【０１２７】
しかし、ガイド手段を有する実施例のほうがガイド手段を有しない比較例より輝度差が小さいことが分かる。これは孔の半径が大きくなるほど著しくなり、本発明によるガイド手段を適用した場合、孔付近の暗部を改善できることが分かる。
【０１２８】
一方、本発明の第１の実施の形態においては、第１孔の直径が反射シートの外径と同じかそれより大きくて液晶パネルが反射シートと重ならない場合を例に挙げているが、本発明はこれに限定されるものではない。本発明は、第１孔の直径が反射シートの外径より小さくて液晶パネルが反射シート上に載置される場合に適用することもできるが、それについて以下の本発明の第２の実施の形態により詳細に説明する。
【０１２９】
図８は本発明の第２の実施の形態による異形ディスプレイの断面の一部を概略的に示す断面図である。
【０１３０】
また、図９は本発明の第２の実施の形態による異形ディスプレイの断面の他の一部を概略的に示す断面図である。
【０１３１】
ここで、図８は孔周辺の断面を例に挙げて示し、図９は縁部の断面を例に挙げて示す。
【０１３２】
ここで、図８及び図９に示す本発明の第２の実施の形態による異形ディスプレイは、液晶パネルが反射シート上に載置されることを除いては、前述した本発明の第１の実施の形態と実質的に同様の構成からなる。
【０１３３】
図８及び図９に示すように、本発明の第２の実施の形態による異形ディスプレイは、カラーフィルタ基板２０５とアレイ基板２１５間に液晶が注入されて画像を出力する液晶パネル２１０と、液晶パネル２１０の背面に設けられて液晶パネル２１０の全面にわたって光を放出するバックライトユニット２４０と、液晶パネル２１０及びバックライトユニット２４０を収納して固定する下部カバー２５０とを含むようにしてもよい。
【０１３４】
前述したように、液晶パネル２１０は、画素がマトリクス状に配列されて画像を出力し、対向して均一なセルギャップが維持されるように貼り合わせられたカラーフィルタ基板２０５及びアレイ基板２１５と、カラーフィルタ基板２０５とアレイ基板２１５間のセルギャップに形成された液晶層とからなる。
【０１３５】
カラーフィルタ基板２０５及びアレイ基板２１５の外側にはそれぞれ偏光板２０１、２１１が取り付けられ、下部偏光板２１１はバックライトユニット２４０を経由した光を偏光させ、上部偏光板２０１は液晶パネル２１０を経由した光を偏光させる。
【０１３６】
ここで、カラーフィルタ基板２０５とアレイ基板２１５とが貼り合わせられた液晶パネル２１０の縁部の側面は、サイドシールによりシール材２４８で密封されるようにしてもよい。ただし、本発明がこれに限定されるものではない。また、図９に示すように上部偏光板２０１がシール材２４８の一部を覆うように取り付けられてもよいが、本発明がこれに限定されるものではない。
【０１３７】
本発明の第２の実施の形態によるバックライトユニット２４０においては、導光板２４２の一側には光を発生する光源を含む光源ユニット（図示せず）が設けられ、導光板２４２の背面には反射板２４１が設けられるようにしてもよい。
【０１３８】
また、導光板２４２の前面には導光板２４２から出射される光の効率を向上させて液晶パネル２１０に照射する複数の光学シート２４３が配置されるようにしてもよい。
【０１３９】
ただし、本発明が前述したバックライトユニット２４０の構造に限定されるものではなく、いかなる構造のバックライトユニット２４０も本発明による異形ディスプレイに適用することができる。
【０１４０】
導光板２４２は、光源から供給される光を液晶パネル２１０側に導く。
【０１４１】
導光板２４２は、ＰＭＭＡやＰＣなどのプラスチックからなるようにしてもよい。
【０１４２】
反射板２４１は、下部カバー２５０と導光板２４２の背面間に配置される。この反射板２４１は、光源からの光及び導光板２４２からの光を液晶パネル２１０側に反射する役割を果たす。図９においては、反射板２４１が導光板２４２の縁部の側面を覆うように形成された場合を例に挙げているが、本発明はこれに限定されるものではない。
【０１４３】
また、光源は、光を出射する手段であって、例えばＣＣＦＬ、ＨＣＦＬ、ＥＥＦＬ及びＬＥＤのいずれかを選択して用いることができるが、これらに限定されるものではない。以下では、説明の便宜上、光源としてＬＥＤアレイを用いた場合を例に挙げる。
【０１４４】
ＬＥＤアレイは、光出射面が導光板２４２の入射面に対向するように、フレキシブルプリント基板に設けられる。すなわち、光源ユニットは、フレキシブルプリント基板と、フレキシブルプリント基板の一側面に実装されるＬＥＤアレイなどの複数の光源とを含むようにしてもよい。
【０１４５】
光源は、インバータに接続されて電源供給により光を出射するようにしてもよい。
【０１４６】
光源から出射された光は透明な材質の導光板２４２の側面に入射するが、導光板２４２の背面に配置された反射板２４１は、導光板２４２の背面に透過する光を導光板２４２の前面の光学シート２４３側に反射させることにより、光の損失を低減して均一度を向上させる。
【０１４７】
詳細には示していないが、光学シート２４３は、拡散シート及びプリズムシートを含み、ＤＢＥＦなどの輝度強化フィルム及び保護シートをさらに含むようにしてもよい。
【０１４８】
光学シート２４３は、導光板２４２の前面と液晶パネル２１０の背面間に備えられてもよい。
【０１４９】
このような構造のバックライトユニット２４０は、下部カバー２５０の内部に収納される。
【０１５０】
下部カバー２５０は、底面から垂直に延びた複数の側面部２５０ａを含むようにしてもよい。側面部２５０ａは、下部カバー２５０の縁部から所定の高さを有するように垂直に延びてもよい。隣接する側面部２５０ａは互いに連結されるようにしてもよい。
【０１５１】
各側面部２５０ａは、異形ディスプレイの中心に向かって折り曲げられて所定の幅を有する載置部２５０ａ’を構成し、載置部２５０ａ’上に液晶パネル２１０が載置されるようにしてもよい。
【０１５２】
側面部２５０ａ及び載置部２５０ａ’により囲まれた空間は、バックライトユニット２４０が収納される収納空間となる。すなわち、側面部２５０ａ及び載置部２５０ａ’は、下部カバー２５０の底面からコ字状に曲がっている。よって、下部カバー２５０の内部に反射板２４１、導光板２４２及び光学シート２４３を収納し、コ字状に曲がった下部カバー２５０の側面部２５０ａ及び載置部２５０ａ’により下部カバー２５０の内部に導光板２４２及び光学シート２４３を固定することができる。
【０１５３】
ここで、光源ユニットに対応する下部カバー２５０の内部一側には、複数の光源及びフレキシブルプリント基板が収納される収容溝が形成されてもよい。
【０１５４】
また、このような構造のバックライトユニット２４０の上部には、所定の遮光テープ２４６が備えられてもよい。
【０１５５】
遮光テープ２４６は、バックライトユニット２４０の光源ユニットに対応する領域及び下部カバー２５０の縁部に対応し、液晶パネル２１０を下部カバー２５０に固定する役割を果たす。遮光テープ２４６は、両面に粘着剤が塗布されていて液晶パネル２１０をバックライトユニット２４０、すなわち下部カバー２５０に固定する役割を果たし、全体が黒色からなり、バックライトユニット２４０から出射された光が外部に漏れることを防止する役割を果たすようにしてもよい。  
【０１５６】
このように構成される本発明の第２の実施の形態による異形ディスプレイの液晶パネル２１０は、ディスプレイ面において異形ディスプレイ、一例として車両のダッシュボードの外郭形状に対応する形状を有するようにしてもよい。それに加え、バックライトユニットの構成物や光学部品、すなわち光学シート２４３、導光板２４２、反射板２４１及び下部カバー２５０は、全体として異形ディスプレイの外郭形状に対応する形状を有するようにしてもよい。ただし、本発明は、これに限定されるものではなく、前述したように、円形や楕円形などの曲線形状、矩形や菱形などの多角形状、又は様々な形状が混合された形状を有するようにしてもよい。
【０１５７】
また、前述したように、液晶パネル２１０、光学シート２４３、導光板２４２、反射板２４１及び下部カバー２５０の左右の所定領域には、円形状の第１孔、第２孔、第３孔、第４孔及び第５孔２５０’が形成されてもよい。ただし、本発明がこれに限定されるものではなく、第１孔、第２孔、第３孔、第４孔及び第５孔２５０’も、円形や楕円形などの曲線形状、矩形や菱形などの多角形状、又は様々な形状が混合された形状を有するようにしてもよい。  
【０１５８】
このような第１孔、第２孔、第３孔、第４孔及び第５孔２５０’は、本発明の第２の実施の形態による異形ディスプレイを車両のダッシュボードに適用した場合、タコメータや速度計などの針が貫通する孔となる。
【０１５９】
液晶パネル２１０は、実際に画像が表示される際に、第１孔を除く領域に画像が表示される。
【０１６０】
例えば、第１孔は、第２孔、第３孔及び第４孔より大きい直径を有し、また、第２孔、第３孔及び第４孔は、第５孔２５０’より大きい直径を有するようにしてもよい。
【０１６１】
前述したように、下部カバー２５０の左右の所定領域には、円形状の第５孔２５０’が形成されてもよい。ここで、第５孔２５０’周辺の下部カバー２５０の縁部には、第２孔、第３孔及び第４孔を貫通して挿入されたガイド手段２４５が配置されることを特徴とする。
【０１６２】
ガイド手段２４５の側面には、光学シート２４３の第２孔に対応する側面、導光板２４２の第３孔に対応する側面、及び反射板２４１の第４孔に対応する側面が接触するか又は隣接して配置されるようにしてもよい。すなわち、ガイド手段２４５は、光学シート２４３の第２孔、導光板２４２の第３孔、及び反射板２４１の第４孔を貫通して挿入されることにより、光学シート２４３、導光板２４２及び反射板２４１を下部カバー２５０内に収納する。
【０１６３】
前述した本発明の第１の実施の形態と同様に、本発明の第２の実施の形態によるガイド手段２４５は、孔に類似したシリンダ状に形成され、特に、従来のガイドパネルの役割を果たしながらも、部分的に左右の孔内にのみ挿入されて設置されることを特徴とする。
【０１６４】
すなわち、本発明は、従来のようにディスプレイの縁部を囲む四角枠状のガイドパネルではなく、部分的に孔内にのみ挿入されて設置された部分ガイド手段２４５を備えるようにしてもよい。
【０１６５】
本発明の第２の実施の形態によるガイド手段２４５は、下部カバー２５０内に光学シート２４３、導光板２４２及び反射板２４１を収納する際にガイドする役割を果たす。ここで、ガイド手段２４５は、光学シート２４３の第２孔、導光板２４２の第３孔、及び反射板２４１の第４孔に挿入される。この状態では、ガイド手段２４５が第５孔２５０’周辺の下部カバー２５０の縁部の上部に載置される。よって、ガイド手段２４５は、その内部に第５孔２５０’に対応する第６孔Ｈを備える。ここで、第６孔Ｈの直径は、第５孔２５０’の直径と実質的に同一であってもよい。ただし、本発明がこれに限定されるものではなく、第６孔Ｈの直径は、第５孔２５０’の直径と異なるようにしてもよい。
【０１６６】
このように、本発明においては、孔領域にシリンダ状のガイド手段２４５を適用して光学シート２４３、導光板２４２及び反射板２４１を嵌合して固定することにより、従来の四角枠状のガイドパネルを削除することができ、ナローベゼルを実現することができるという効果を奏する。
【０１６７】
このようなガイド手段２４５は、導光板２４２を構成する材質と同一又は同等の材質、例えばＰＭＭＡやＰＣなどで構成してもよい。孔内にガイド手段２４５が挿入されることにより、孔の前後での輝度差を低減することができる。ただし、本発明がこれに限定されるものではなく、透明な材質に光を通過させて孔の後方部に光を到達させることができれば、いかなる材質でも適用することができる。
【０１６８】
また、本発明においては、孔（すなわち、第２孔、第３孔及び第４孔）内に、孔径より小さく、導光板２４２と同等の材質のシリンダ状のガイド手段２４５を挿入して孔の後方部に光を送ることにより、孔の前後での輝度差を低減することを特徴とする。すなわち、本発明の第２の実施の形態によるガイド手段２４５は、光経路を閉塞しないようにして孔の後方部に光を直接伝達する役割を果たし、それにより孔の後方部の暗部が改善され、バックライト光の均一度が向上し、画像品位を改善することができるという効果を奏する。
【０１６９】
また、シリンダ状のガイド手段２４５上には反射シート２４９が配置されるが、反射シート２４９は、導光板２４２とガイド手段２４５との間の空気層から漏れる光を遮断する役割を果たす。
【０１７０】
反射シート２４９は、反射性の金属材質からなり、パッド２４７を介して光学シート２４３の上部に配置されるようにしてもよい。すなわち、パッド２４７は、ガイド手段２４５の上部に配置される反射シート２４９の他の一側において反射シート２４９と光学シート２４３との間に介在し、ガイド手段２４５との高さ差を補完する役割を果たすようにしてもよい。
【０１７１】
反射シート２４９としては、金属材質以外に、銀（Ａｇ）やアルミニウム（Ａｌ）などがコーティングされている多層構造のフィルム、又は屈折率異方性物質を交互に積層した多層構造のフィルムを適用することもできる。
【０１７２】
このような反射シート２４９は、薄いシリンダ状、すなわち円盤状に形成され、ガイド手段２４５の外径より相対的に大きい外径を有するようにしてもよい。すなわち、反射シート２４９は、第２孔周辺の光学シート２４３の一側と重なり、その重畳部にパッド２４７が配置されるようにしてもよい。
【０１７３】
また、反射シート２４９の内径は、ガイド手段２４５の内径、すなわち第６孔Ｈの直径と同一であるか又は実質的に同一であってもよい。
【０１７４】
パッド２４７は、所定の弾性を有するようにしてもよく、また、反射シート２４９に類似した円盤状に形成されるようにしてもよい。パッド２４７の上部及び下部の少なくとも一方には、粘着剤が塗布されるようにしてもよい。
【０１７５】
本発明の第２の実施の形態においては、第１孔の直径が反射シート２４９の外径より小さいので液晶パネル２１０が反射シート２４９上に載置されることを特徴とする。この場合、液晶パネル２１０を縁部だけでなく、孔付近でも支持することができ、前述した本発明の第１の実施の形態よりも安定して固定することができるという利点がある。
【０１７６】
また、本発明は、下部カバーに第５孔の縁部に沿って突出した突出部を備えてガイド手段と締結することにより、ガイド手段と下部カバーとの締結性を確保することもできるが、それについて以下の本発明の第３の実施の形態により詳細に説明する。
【０１７７】
図１０は本発明の第３の実施の形態による異形ディスプレイの断面の一部を概略的に示す断面図である。
【０１７８】
図１１は本発明の第３の実施の形態による異形ディスプレイの断面の他の一部を概略的に示す断面図である。
【０１７９】
また、図１２は図１０に示す本発明の第３の実施の形態による異形ディスプレイにおけるイド手段の構造を概略的に示す斜視図である。
【０１８０】
ここで、図１０は孔周辺の断面を例に挙げて示し、図１１は縁部の断面を例に挙げて示す。
【０１８１】
ここで、図１０〜図１２に示す本発明の第３の実施の形態による異形ディスプレイは、ガイド手段が下部カバーの突出部に締結されることを除いては、前述した本発明の第１の実施の形態と実質的に同様の構成からなる。
【０１８２】
図１０〜図１２に示すように、本発明の第３の実施の形態による異形ディスプレイは、カラーフィルタ基板３０５とアレイ基板３１５間に液晶が注入されて画像を出力する液晶パネル３１０と、液晶パネル３１０の背面に設けられて液晶パネル３１０の全面にわたって光を放出するバックライトユニット３４０と、液晶パネル３１０及びバックライトユニット３４０を収納して固定する下部カバー３５０とを含むようにしてもよい。
【０１８３】
前述したように、液晶パネル３１０は、画素がマトリクス状に配列されて画像を出力し、対向して均一なセルギャップが維持されるように貼り合わせられたカラーフィルタ基板３０５及びアレイ基板３１５と、カラーフィルタ基板３０５とアレイ基板３１５間のセルギャップに形成された液晶層とからなる。
【０１８４】
カラーフィルタ基板３０５及びアレイ基板３１５の外側にはそれぞれ偏光板３０１、３１１が取り付けられ、下部偏光板３１１はバックライトユニット３４０を経由した光を偏光させ、上部偏光板３０１は液晶パネル３１０を経由した光を偏光させる。
【０１８５】
ここで、カラーフィルタ基板３０５とアレイ基板３１５とが貼り合わせられた液晶パネル３１０の縁部の側面は、サイドシールによりシール材３４８で密封されるようにしてもよい。ただし、本発明がこれに限定されるものではない。また、図１１に示すように上部偏光板３０１がシール材３４８の一部を覆うように取り付けられてもよいが、本発明がこれに限定されるものではない。
【０１８６】
本発明の第３の実施の形態によるバックライトユニット３４０においては、導光板３４２の一側には光を発生する光源を含む光源ユニット（図示せず）が設けられ、導光板３４２の背面には反射板３４１が設けられるようにしてもよい。
【０１８７】
また、導光板３４２の前面には導光板３４２から出射される光の効率を向上させて液晶パネル３１０に照射する複数の光学シート３４３が配置されるようにしてもよい。
【０１８８】
ただし、本発明が前述したバックライトユニット３４０の構造に限定されるものではなく、いかなる構造のバックライトユニット３４０も本発明による異形ディスプレイに適用することができる。
【０１８９】
導光板３４２は、光源から供給される光を液晶パネル３１０側に導く。
【０１９０】
導光板３４２は、ＰＭＭＡやＰＣなどのプラスチックからなるようにしてもよい。
【０１９１】
反射板３４１は、下部カバー３５０と導光板３４２の背面間に配置される。この反射板３４１は、光源からの光及び導光板３４２からの光を液晶パネル３１０側に反射する役割を果たす。図１１においては、反射板３４１が導光板３４２の縁部の側面を覆うように形成された場合を例に挙げているが、本発明はこれに限定されるものではない。
【０１９２】
また、光源は、光を出射する手段であって、例えばＣＣＦＬ、ＨＣＦＬ、ＥＥＦＬ及びＬＥＤのいずれかを選択して用いることができるが、これらに限定されるものではない。以下では、説明の便宜上、光源としてＬＥＤアレイを用いた場合を例に挙げる。
【０１９３】
ＬＥＤアレイは、光出射面が導光板３４２の入射面に対向するように、フレキシブルプリント基板に設けられる。すなわち、光源ユニットは、フレキシブルプリント基板と、フレキシブルプリント基板の一側面に実装されるＬＥＤアレイなどの複数の光源とを含むようにしてもよい。
【０１９４】
光源は、インバータに接続されて電源供給により光を出射するようにしてもよい。
【０１９５】
光源から出射された光は透明な材質の導光板３４２の側面に入射するが、導光板３４２の背面に配置された反射板３４１は、導光板３４２の背面に透過する光を導光板３４２の前面の光学シート３４３側に反射させることにより、光の損失を低減して均一度を向上させる。
【０１９６】
詳細には示していないが、光学シート３４３は、拡散シート及びプリズムシートを含み、ＤＢＥＦなどの輝度強化フィルム及び保護シートをさらに含むようにしてもよい。
【０１９７】
光学シート３４３は、導光板３４２の前面と液晶パネル３１０の背面間に備えられてもよい。
【０１９８】
このような構造のバックライトユニット３４０は、下部カバー３５０の内部に収納される。
【０１９９】
下部カバー３５０は、底面から垂直に延びた複数の側面部３５０ａを含むようにしてもよい。側面部３５０ａは、下部カバー３５０の縁部から所定の高さを有するように垂直に延びてもよい。隣接する側面部３５０ａは互いに連結されるようにしてもよい。
【０２００】
各側面部３５０ａは、異形ディスプレイの中心に向かって折り曲げられて所定の幅を有する載置部３５０ａ’を構成し、載置部３５０ａ’上に液晶パネル３１０が載置されるようにしてもよい。
【０２０１】
側面部３５０ａ及び載置部３５０ａ’により囲まれた空間は、バックライトユニット３４０が収納される収納空間となる。すなわち、側面部３５０ａ及び載置部３５０ａ’は、下部カバー３５０の底面からコ字状に曲がっている。よって、下部カバー３５０の内部に反射板３４１、導光板３４２及び光学シート３４３を収納し、コ字状に曲がった下部カバー３５０の側面部３５０ａ及び載置部３５０ａ’により下部カバー３５０の内部に導光板３４２及び光学シート３４３を固定することができる。
【０２０２】
ここで、光源ユニットに対応する下部カバー３５０の内部の一側には、複数の光源及びフレキシブルプリント基板が収納される収容溝が形成されてもよい。
【０２０３】
また、このような構造のバックライトユニット３４０の上部には、所定の遮光テープ３４６が備えられてもよい。
【０２０４】
遮光テープ３４６は、バックライトユニット３４０の光源ユニットに対応する領域及び下部カバー３５０の縁部に対応し、液晶パネル３１０を下部カバー３５０に固定する役割を果たす。遮光テープ３４６は、両面に粘着剤が塗布されていて液晶パネル３１０をバックライトユニット３４０、すなわち下部カバー３５０に固定する役割を果たし、全体が黒色からなり、バックライトユニット３４０から出射された光が外部に漏れることを防止する役割を果たすようにしてもよい。
【０２０５】
このように構成される本発明の第３の実施の形態による異形ディスプレイの液晶パネル３１０は、ディスプレイ面において異形ディスプレイ、一例として車両のダッシュボードの外郭形状に対応する形状を有するようにしてもよい。それに加え、バックライトユニット３４０の構成物や光学部品、すなわち光学シート３４３、導光板３４２、反射板３４１及び下部カバー３５０は、全体として異形ディスプレイの外郭形状に対応する形状を有するようにしてもよい。ただし、本発明は、これに限定されるものではなく、前述したように、円形や楕円形などの曲線形状、矩形や菱形などの多角形状、又は様々な形状が混合された形状を有するようにしてもよい。
【０２０６】
また、前述したように、液晶パネル３１０、光学シート３４３、導光板３４２、反射板３４１及び下部カバー３５０の左右の所定領域には、円形状の第１孔、第２孔、第３孔、第４孔及び第５孔３５０’が形成されてもよい。ただし、本発明がこれに限定されるものではなく、第１孔、第２孔、第３孔、第４孔及び第５孔３５０’も、円形や楕円形などの曲線形状、矩形や菱形などの多角形状、又は様々な形状が混合された形状を有するようにしてもよい。
【０２０７】
このような第１孔、第２孔、第３孔、第４孔及び第５孔３５０’は、本発明の第３の実施の形態による異形ディスプレイを車両のダッシュボードに適用した場合、タコメータや速度計などの針が貫通する孔となる。
【０２０８】
液晶パネル３１０は、実際に画像が表示される際に、第１孔を除く領域に画像が表示される。
【０２０９】
例えば、第１孔は、第２孔、第３孔及び第４孔より大きい直径を有し、また、第２孔、第３孔及び第４孔は、第５孔３５０’より大きい直径を有するようにしてもよい。
【０２１０】
前述したように、下部カバー３５０の左右の所定領域には、円形状の第５孔３５０’が形成されてもよく、また、第５孔３５０’の縁部に沿って突出した突出部３５０ｂを有するようにしてもよい。
【０２１１】
突出部３５０ｂは、第５孔３５０’の縁部から液晶パネル３１０方向に突出した構造からなり、図示していないが、本発明の第３の実施の形態においては、突出部３５０ｂの外側に所定の雄ネジ山が形成されるようにしてもよい。ただし、本発明は、これに限定されるものではなく、突出部３５０ｂの内側に雌ネジ山が形成されてもよい。雄ネジ山は、突出部３５０ｂの上端から所定の深さを有するように形成されてもよい。
【０２１２】
下部カバー３５０の内面において、突出部３５０ｂの高さは、反射板３４１、導光板３４２及び光学シート３４３の厚さを合わせた厚さと同じかそれより大きくなるようにしてもよい。
【０２１３】
本発明の第３の実施の形態においては、このような突出部３５０ｂに第２孔、第３孔及び第４孔を貫通して挿入されたガイド手段３４５が締結されることを特徴とする。
【０２１４】
本発明の第３の実施の形態によるガイド手段３４５は、下部カバー３５０の突出部、一例として突出部３５０ｂに嵌められた状態で締結されるようにしてもよい。よって、ガイド手段３４５は、突出部３５０ｂに嵌められる部分の内側に、突出部３５０ｂの雄ネジ山に対応する雌ネジ山が形成されてもよい。
【０２１５】
ガイド手段３４５の側面には、光学シート３４３の第２孔に対応する側面、導光板３４２の第３孔に対応する側面、及び反射板３４１の第４孔に対応する側面が接触するか又は隣接して配置されるようにしてもよい。すなわち、ガイド手段３４５は、光学シート３４３の第２孔、導光板３４２の第３孔、及び反射板３４１の第４孔を貫通して挿入されると共に、下部カバー３５０の突出部３５０ｂに嵌められた状態で締結されることにより、光学シート３４３、導光板３４２及び反射板３４１を下部カバー３５０内に収納する。
【０２１６】
前述した本発明の第１、第２の実施の形態と同様に、本発明の第３の実施の形態によるガイド手段３４５は、孔に類似したシリンダ状に形成され、特に、従来のガイドパネルの役割を果たしながらも、部分的に左右の孔内にのみ挿入されて設置されることを特徴とする。
【０２１７】
すなわち、本発明は、従来のようにディスプレイの縁部を囲む四角枠状のガイドパネルではなく、部分的に孔内にのみ挿入されて設置された部分ガイド手段３４５を備えるようにしてもよい。
【０２１８】
本発明の第３の実施の形態によるガイド手段３４５は、下部カバー３５０内に光学シート３４３、導光板３４２及び反射板３４１を収納する際にガイドする役割を果たす。ここで、ガイド手段３４５は、光学シート３４３の第２孔、導光板３４２の第３孔、及び反射板３４１の第４孔に挿入される。この状態では、ガイド手段３４５が下部カバー３５０の突出部３５０ｂに嵌められた状態で締結される。よって、ガイド手段３４５は、その内部に第５孔３５０’に対応する第６孔Ｈを備える。ここで、第６孔Ｈの直径は、第５孔３５０’の直径より小さい。また、下部カバー３５０の突出部３５０ｂに嵌められるガイド手段３４５には、突出部３５０ｂの幅に対応するシリンダ状の溝３４５ａが形成される。
【０２１９】
このように、本発明においては、孔領域にシリンダ状のガイド手段３４５を適用して光学シート３４３、導光板３４２及び反射板３４１を嵌合して固定することにより、従来の四角枠状のガイドパネルを削除することができ、ナローベゼルを実現することができるという効果を奏する。
【０２２０】
このようなガイド手段３４５は、導光板３４２を構成する材質と同一又は同等の材質、例えばＰＭＭＡやＰＣなどで構成してもよい。孔内にガイド手段３４５が挿入されることにより、孔の前後での輝度差を低減することができる。ただし、本発明がこれに限定されるものではなく、透明な材質に光を通過させて孔の後方部に光を到達させることができれば、いかなる材質でも適用することができる。
【０２２１】
また、本発明においては、孔（すなわち、第２孔、第３孔及び第４孔）内に、孔径より小さく、導光板３４２と同等の材質のシリンダ状のガイド手段３４５を挿入して孔の後方部に光を送ることにより、孔の前後での輝度差を低減することを特徴とする。すなわち、本発明の第３の実施の形態によるガイド手段３４５は、光経路を閉塞しないようにして孔の後方部に光を直接伝達する役割を果たし、それにより孔の後方部の暗部が改善され、バックライト光の均一度が向上し、画像品位を改善することができるという効果を奏する。
【０２２２】
また、シリンダ状のガイド手段３４５上には反射シート３４９が配置されるが、反射シート３４９は、導光板３４２とガイド手段３４５との間の空気層から漏れる光を遮断する役割を果たす。
【０２２３】
反射シート３４９は、反射性の金属材質からなり、パッド３４７を介して光学シート３４３の上部に配置されるようにしてもよい。すなわち、パッド３４７は、ガイド手段３４５の上部に配置される反射シート３４９の他の一側において反射シート３４９と光学シート３４３との間に介在し、ガイド手段３４５との高さ差を補完する役割を果たすようにしてもよい。
【０２２４】
反射シート３４９としては、金属材質以外に、銀（Ａｇ）やアルミニウム（Ａｌ）などがコーティングされている多層構造のフィルム、又は屈折率異方性物質を交互に積層した多層構造のフィルムを適用することもできる。
【０２２５】
このような反射シート３４９は、薄いシリンダ状、すなわち円盤状に形成され、ガイド手段３４５の外径より相対的に大きい外径を有するようにしてもよい。すなわち、反射シート３４９は、第２孔周辺の光学シート３４３の一側と重なり、その重畳部にパッド３４７が配置されるようにしてもよい。
【０２２６】
また、反射シート３４９の内径は、ガイド手段３４５の内径、すなわち第６孔Ｈの直径と同一であるか又は実質的に同一であってもよい。
【０２２７】
パッド３４７は、所定の弾性を有するようにしてもよく、また、反射シート３４９に類似した円盤状に形成されるようにしてもよい。パッド３４７の上部及び下部の少なくとも一方には、粘着剤が塗布されるようにしてもよい。
【０２２８】
一方、前述したように、本発明は、ディスプレイ部が円形である円形ディスプレイに適用することもできるが、それについて以下の本発明の第４の実施の形態により詳細に説明する。
【０２２９】
図１３は本発明の第４の実施の形態による異形ディスプレイの一例を示す平面図である。
【０２３０】
また、図１４は図１３に示す本発明の第４の実施の形態による異形ディスプレイの構造を概略的に示す分解斜視図である。
【０２３１】
ディスプレイ部が円形である異形ディスプレイを円形ディスプレイといい、ここで円形は実質的に円形の形状を有するという意味を含む。
【０２３２】
円形ディスプレイが適用されたウェアラブルウォッチ（wearable watch）は真円形を実現する。ＴＦＴの設計からディスプレイのベゼルのデザインまで完璧な円形にデザインされて開発されている。こうすることにより、同じサイズの正方形ディスプレイより画面の面積が５７％以上広くなる。よって、円形ディスプレイは、画面全体に表示できるようにしてユーザ利便性を向上させ、また、薄型にしながらも画面全体をタッチできるようにすることができる。
【０２３３】
ここで、図１３及び図１４に示す本発明の第４の実施の形態による異形ディスプレイは、ウェアラブルウォッチを例に挙げているが、本発明はこれに限定されるものではない。
【０２３４】
端末機は、移動可能であるか否かによって、移動端末機（mobile/portable terminal）と固定端末機（stationary terminal）に分けられ、ウェアラブルウォッチは移動端末機に属する。さらに、移動端末機は、ユーザが直接携帯可能であるか否かによって、携帯（型）端末機（handheld terminal）と車載端末機（vehicle mount terminal）に分けられる。
【０２３５】
このような端末機は、機能が多様化することにより、例えば写真や動画像の撮影、音楽や動画像ファイルの再生、ゲーム、放送受信などの複合的な機能を備えたマルチメディア機器の形で実現されている。さらに、端末機の機能をサポート及び向上させるために、端末機の構造的な部分及びソフトウェア的な部分を改良することも考えられる。
【０２３６】
このような改良が行われることにより、近年、移動端末機は、様々なタイプのデザインに進化しており、ユーザの身体に固定できるウェアラブルウォッチタイプの移動端末機も開発されている。
【０２３７】
図１３に示すように、ウォッチタイプの移動端末機４００は、ディスプレイ部４６０を備える本体４６１と、本体４６１に連結されて手首に着用可能に構成されるバンド４６２とを含むようにしてもよい。
【０２３８】
本体４６１は、外観を形成するケースを含む。ケースは、各種電子部品を収容する内部空間を形成する複数のケースを含む。ただし、本発明は、これに限定されるものではなく、１つのケースが内部空間を形成するように構成してユニボディの移動端末機４００を実現することもできる。
【０２３９】
このようなケースは、合成樹脂を射出して形成してもよく、金属材質、例えばステンレススチール（ＳＴＳ）やチタン（Ｔｉ）などの金属材質で形成してもよい。
【０２４０】
ウォッチタイプの移動端末機４００は、無線通信を行えるように構成され、本体４６１に無線通信のためのアンテナが設けられるようにしてもよい。一方、アンテナは、ケースを用いてその性能を拡張させることができる。例えば、導電性材質を含むケースにアンテナを電気的に接続してグラウンド領域又は放射領域が拡張されるように構成してもよい。
本体４６１の一面にはディスプレイ部４６０が露出するように配置されてもよい。
【０２４１】
一例として、本体４６１の前面にはディスプレイ部４６０が配置されて情報が出力され、ディスプレイ部４６０にはタッチセンサが備えられてタッチスクリーンとして実現されるようにしてもよい。
【０２４２】
一例として、液晶パネルにより実現されるディスプレイ部４６０には、時間を示す数字（１〜１２）が出力され、また、時間の経過に応じて「時」、「分」及び「秒」に対応する数字をそれぞれ指し示す「時針」、「分針」及び「秒針」から構成される表示針４６５が出力され、現在の時間を確認できるようにしてもよい。
【０２４３】
本体４６１には、音響出力部、カメラ、マイクロホン、ユーザ入力部などが備えられてもよい。ディスプレイ部４６０がタッチスクリーンとして実現された場合は、ユーザ入力部として機能することができるので、本体４６１にキーが別途に備えられなくてもよい。
バンド４６２は、手首に着用されて手首を囲むように構成され、着用が容易になるようにフレキシブル材質で形成されてもよい。その例として、バンド４６２は、革、ゴム、シリコーン、合成樹脂材質などで形成されてもよい。また、バンド４６２は、本体４６１に着脱可能に構成され、ユーザが好みによって様々なタイプのバンドに交換できるようにしてもよい。
【０２４４】
一方、バンド４６２は、アンテナの性能拡張に用いられるようにしてもよい。例えば、バンド４６２には、アンテナに電気的に接続されてグラウンド領域を拡張させるグラウンド拡張部が内蔵されるようにしてもよい。
【０２４５】
バンド４６２には、ファスナー（fastener）が備えられてもよい。ファスナーは、バックル（buckle）、スナップフィット（snap-fit）が可能なフック構造、ベルクロ（velcro）（登録商標）などにより実現することができ、伸縮性のある区間又は材質を含むようにしてもよい。
【０２４６】
以上のような本発明の第４の実施の形態による異形ディスプレイは、ディスプレイ部においてドーナッツ状の構造からなっていてドーナッツ状の領域を表示するための電子機器に用いることができる。
【０２４７】
例えば、本発明の異形ディスプレイは、ウェアラブルウォッチに適用することができる。この場合、時計の時針、分針、秒針などの構成物は、孔を貫通して液晶パネルの上面に配置されるようにしてもよい。
【０２４８】
すなわち、本発明の異形ディスプレイは、全体として円形状の構造を有し、構成物が貫通する孔を備え、ウォッチなどのようなドーナッツ状の領域を表示するための電子機器に適用することができる。
【０２４９】
図１４に示すように、本発明の第４の実施の形態による異形ディスプレイは、カラーフィルタ基板４０５とアレイ基板４１５間に液晶が注入されて画像を出力する液晶パネル４１０と、液晶パネル４１０の背面に設けられて液晶パネル４１０の全面にわたって光を放出するバックライトユニットと、液晶パネル４１０及びバックライトユニットを収納して固定する下部カバー４５０とを含むようにしてもよい。
【０２５０】
前述したように、液晶パネル４１０は、画素がマトリクス状に配列されて画像を出力し、対向して均一なセルギャップが維持されるように貼り合わせられたカラーフィルタ基板４０５及びアレイ基板４１５と、カラーフィルタ基板４０５とアレイ基板４１５間のセルギャップに形成された液晶層とからなる。
【０２５１】
本発明の第４の実施の形態によるバックライトユニットにおいては、導光板４４２の一側には光を発生する光源を含む光源ユニット（図示せず）が設けられ、導光板４４２の背面には反射板４４１が設けられるようにしてもよい。
【０２５２】
また、導光板４４２の前面には導光板４４２から出射される光の効率を向上させて液晶パネル４１０に照射する複数の光学シート４４３が配置されるようにしてもよい。
【０２５３】
ただし、本発明が前述したバックライトユニットの構造に限定されるものではなく、いかなる構造のバックライトユニットも本発明による異形ディスプレイに適用することができる。
【０２５４】
導光板４４２は、光源から供給される光を液晶パネル４１０側に導く。
【０２５５】
導光板４４２は、ＰＭＭＡやＰＣなどのプラスチックからなるようにしてもよい。
【０２５６】
反射板４４１は、下部カバー４５０と導光板４４２の背面間に配置される。この反射板４４１は、光源からの光及び導光板４４２からの光を液晶パネル４１０側に反射する役割を果たす。
【０２５７】
光源から出射された光は透明な材質の導光板４４２の側面に入射するが、導光板４４２の背面に配置された反射板４４１は、導光板４４２の背面に透過する光を導光板４４２の前面の光学シート４４３側に反射させることにより、光の損失を低減して均一度を向上させる。
【０２５８】
ここで、光学シート４４３は、拡散シート４４３ａ及びプリズムシート４４３ｂを含み、ＤＢＥＦなどの輝度強化フィルム４４３ｃ及び保護シートをさらに含むようにしてもよい。
【０２５９】
光学シート４４３は、導光板４４２の前面と液晶パネル４１０の背面間に備えられてもよい。
【０２６０】
このような構造のバックライトユニットは、下部カバー４５０の内部に収納される。
【０２６１】
下部カバー４５０は、底面から垂直に延びた複数の側面部４５０ａを含むようにしてもよい。側面部４５０ａは、下部カバー４５０の縁部から所定の高さを有するように垂直に延びてもよい。
【０２６２】
側面部４５０ａは、異形ディスプレイの中心に向かって折り曲げられて所定の幅を有する載置部４５０ａ’を構成し、載置部４５０ａ’上に液晶パネル４１０が載置されるようにしてもよい。
【０２６３】
側面部４５０ａ及び載置部４５０ａ’により囲まれた空間は、バックライトユニットが収納される収納空間となる。すなわち、側面部４５０ａ及び載置部４５０ａ’は、下部カバー４５０の底面からコ字状に曲がっている。よって、下部カバー４５０の内部に反射板４４１、導光板４４２及び光学シート４４３を収納し、コ字状に曲がった下部カバー４５０の側面部４５０ａ及び載置部４５０ａ’により下部カバー４５０の内部に導光板４４２及び光学シート４４３を固定することができる。
【０２６４】
ここで、光源ユニットに対応する下部カバー４５０の一側には、複数の光源及びフレキシブルプリント基板が収納される収容部４５１が形成されてもよい。
【０２６５】
このように構成される本発明の第４の実施の形態による異形ディスプレイの液晶パネル４１０は、ディスプレイ面において円形ディスプレイ、一例としてウェアラブルウォッチの外郭形状に対応する円形状を有するようにしてもよい。それに加え、バックライトユニットの構成物や光学部品、すなわち光学シート４４３、導光板４４２、反射板４４１及び下部カバー４５０は、全体として異形ディスプレイの外郭形状に対応する円形状を有するようにしてもよい。ただし、本発明がこれに限定されるものではない。
【０２６６】
また、液晶パネル４１０、光学シート４４３、導光板４４２、反射板４４１及び下部カバー４５０の中央には、円形状の第１孔４１０’、第２孔４４３ａ’、４４３ｂ’、４４３ｃ’、第３孔４４２’、第４孔４４１’及び第５孔４５０’が形成されてもよい。ただし、本発明がこれに限定されるものではない。  
【０２６７】
このような第１孔４１０’、第２孔４４３ａ’、４４３ｂ’、４４３ｃ’、第３孔４４２’、第４孔４４１’及び第５孔４５０’は、異形ディスプレイをウェアラブルウォッチに適用した場合、時針、分針、秒針などの表示針が貫通する孔となる。
【０２６８】
液晶パネル４１０は、実際に画像が表示される際に、第１孔４１０’を除く領域に画像が表示される。
【０２６９】
例えば、第１孔４１０’は、第２孔４４３ａ’、４４３ｂ’、４４３ｃ’、第３孔４４２’及び第４孔４４１’より大きい直径を有し、また、第２孔４４３ａ’、４４３ｂ’、４４３ｃ’、第３孔４４２’及び第４孔４４１’は、第５孔４５０’より大きい直径を有するようにしてもよい。
【０２７０】
前述したように、下部カバー４５０の中央には、円形状の第５孔４５０’が形成されてもよい。ここで、第５孔４５０’周辺の下部カバー４５０の縁部には、第２孔４４３ａ’、４４３ｂ’、４４３ｃ’、第３孔４４２’及び第４孔４４１’を貫通して挿入されたガイド手段４４５が配置されることを特徴とする。
【０２７１】
ガイド手段４４５の側面には、光学シート４４３の第２孔４４３ａ’、４４３ｂ’、４４３ｃ’に対応する側面、導光板４４２の第３孔４４２’に対応する側面、及び反射板４４１の第４孔４４１’に対応する側面が接触するか又は隣接して配置されるようにしてもよい。すなわち、ガイド手段４４５は、光学シート４４３の第２孔４４３ａ’、４４３ｂ’、４４３ｃ’、導光板４４２の第３孔４４２’、及び反射板４４１の第４孔４４１’を貫通して挿入されることにより、光学シート４４３、導光板４４２及び反射板４４１を下部カバー４５０内に収納する。
【０２７２】
前述した本発明の第１〜第３の実施の形態と同様に、本発明の第４の実施の形態によるガイド手段４４５は、孔に類似したシリンダ状に形成され、特に、従来のガイドパネルの役割を果たしながらも、部分的に左右の孔内にのみ挿入されて設置されることを特徴とする。
【０２７３】
このようなガイド手段４４５は、導光板４４２を構成する材質と同一又は同等の材質、例えばＰＭＭＡやＰＣなどで構成してもよい。孔内にガイド手段４４５が挿入されることにより、孔の前後での輝度差を低減することができる。ただし、本発明がこれに限定されるものではなく、透明な材質に光を通過させて孔の後方部に光を到達させることができれば、いかなる材質でも適用することができる。
【０２７４】
また、シリンダ状のガイド手段４４５上には反射シート４４９が配置されるが、反射シート４４９は、導光板４４２とガイド手段４４５との間の空気層から漏れる光を遮断する役割を果たす。
【０２７５】
反射シート４４９は、反射性の金属材質からなり、パッド４４７を介して光学シート４４３の上部に配置されるようにしてもよい。すなわち、パッド４４７は、ガイド手段４４５の上部に配置される反射シート４４９の他の一側において反射シート４４９と光学シート４４３との間に介在し、ガイド手段４４５との高さ差を補完する役割を果たすようにしてもよい。
【０２７６】
反射シート４４９としては、金属材質以外に、銀（Ａｇ）やアルミニウム（Ａｌ）などがコーティングされている多層構造のフィルム、又は屈折率異方性物質を交互に積層した多層構造のフィルムを適用することもできる。
【０２７７】
このような反射シート４４９は、薄いシリンダ状、すなわち円盤状に形成され、ガイド手段４４５の外径より相対的に大きい外径を有するようにしてもよい。すなわち、反射シート４４９は、第２孔４４３ａ’、４４３ｂ’、４４３ｃ’周辺の光学シート４４３の一側と重なり、その重畳部にパッド４４７が配置されるようにしてもよい。
【０２７８】
また、反射シート４４９の内径は、ガイド手段４４５の内径、すなわち第６孔の直径と同一であるか又は実質的に同一であってもよい。
【０２７９】
パッド４４７は、所定の弾性を有するようにしてもよく、また、反射シート４４９に類似した円盤状に形成されるようにしてもよい。パッド４４７の上部及び下部の少なくとも一方には、粘着剤が塗布されるようにしてもよい。
【０２８０】
以上の説明に多くの事項が具体的に記載されているが、これは発明の範囲を限定するものではなく、好ましい実施の形態の例示として解釈されるべきである。よって、本発明の範囲は、前述した実施の形態によって定められるのでなく、特許請求の範囲とその均等物によって定められるべきである。
【符号の説明】
【０２８１】
１１０、２１０、３１０、４１０  液晶パネル
１１０’、４１０’  第１孔
１４１、２４１、３４１、４４１  反射板
１４１’、４４１’  第４孔
１４２、２４２、３４２、４４２  導光板
１４２’、４４２’  第３孔
１４３、２４３、３４３、４４３  光学シート
１４３ａ’、１４３ｂ’、１４３ｃ’、４４３ａ’、４４３ｂ’、４４３ｃ’  第２孔
１４５、２４５、３４５、４４５  ガイド手段
１４９、２４９、３４９、４４９  反射シート
１５０、２５０、３５０、４５０  下部カバー
１５０’、２５０’、３５０’、４５０’  第５孔
１５０ａ、２５０ａ、３５０ａ、４５０ａ  側面部
１５０ａ’、２５０ａ’、３５０ａ’、４５０ａ’  載置部
【図１】
0006348954.tif 000002
【図２】
0006348954.tif 000003
【図３】
0006348954.tif 000004
【図４】
0006348954.tif 000005
【図５】
0006348954.tif 000006
【図６】
0006348954.tif 000007
【図７】
0006348954.tif 000008
【図８】
0006348954.tif 000009
【図９】
0006348954.tif 000010
【図１０】
0006348954.tif 000011
【図１１】
0006348954.tif 000012
【図１２】
0006348954.tif 000013
【図１３】
0006348954.tif 000014
【図１４】
0006348954.tif 000015
【図１５】
0006348954.tif 000016